(57)【要約】【課題】状況に合ったアプリケーションを推薦することが可能な推薦装置、方法、およびプログラムを提供する。【解決手段】撮像装置の動作モードに応じて選択される画像に関する情報に基づいて、前記撮像装置に推薦するアプリケーションを決定する決定部を備える推薦装置。【選択図】図１
2013187108.tif 000002
【特許請求の範囲】
【請求項１】
撮像装置の動作モードに応じて選択された画像に関する情報に基づいて、前記撮像装置に推薦するアプリケーションを決定する決定部を備える推薦装置。
【請求項２】
前記画像に関する情報は、画像に付加されたメタデータ、またはスルー画像のシーン認識結果である、請求項１に記載の推薦装置。
【請求項３】
前記画像は、撮像モード時のスルー画像または所定の撮像画像である、請求項１に記載の推薦装置。
【請求項４】
前記所定の撮像画像は、撮像モード時において、現在時刻から過去一定時間内に撮像された撮像画像、または撮像時刻が現在時刻に近い一定量の撮像画像である、請求項３に記載の推薦装置。
【請求項５】
前記決定部は、撮像モード時において、ユーザにより設定された前記撮像装置の設定状態に関する情報に基づいて、前記撮像装置に推薦するアプリケーションを決定する、請求項１に記載の推薦装置。
【請求項６】
前記画像は、再生モード時において、前記撮像装置に記憶されている所定の記憶画像である、請求項１に記載の推薦装置。
【請求項７】
前記所定の記憶画像は、再生モードにおいて画面に表示されている複数の記憶画像である、請求項６に記載の推薦装置。
【請求項８】
前記所定の記憶画像は、再生中の記憶画像、または前記撮像装置に記憶されている全ての記憶画像である、請求項６に記載の推薦装置。
【請求項９】
前記決定部は、前記撮像装置に記憶されている全ての記憶画像に関する情報の統計に基づいて、前記撮像装置に推薦するアプリケーションを決定する、請求項８に記載の推薦装置。
【請求項１０】
前記推薦装置は、
前記撮像装置から前記撮像装置のモードに応じて選択された画像または前記選択された画像に関する情報を受信する受信部と、
前記決定部により決定したアプリケーションを前記撮像装置に送信する送信部と、
をさらに備える、請求項１に記載の推薦装置。
【請求項１１】
前記推薦装置は、
撮像部と、
表示部と、
前記決定部により決定したアプリケーションに関する情報を前記表示部に表示するよう制御する表示制御部と、
をさらに備える撮像装置である、請求項１に記載の推薦装置。
【請求項１２】
前記推薦装置は、
前記表示部に表示された複数のアプリケーションに関する情報に対するユーザの選択操作を検出する操作検出部と、
前記ユーザにより選択されたアプリケーションを起動するよう制御する制御部と、
を備える、請求項１１に記載の推薦装置。
【請求項１３】
前記推薦装置は、
撮像部と、
前記決定部により決定したアプリケーションを起動するよう制御する制御部と、
をさらに備える撮像装置である、請求項１に記載の推薦装置。
【請求項１４】
撮像装置の動作モードに応じて画像を選択するステップと、
前記選択するステップにより選択された画像に関する情報に基づいて、前記撮像装置に推薦するアプリケーションを決定するステップと、
を含む、推薦方法。
【請求項１５】
撮像装置の動作モードに応じて画像を選択する処理と、
前記選択する処理により選択された画像に関する情報に基づいて、前記撮像装置に推薦するアプリケーションを決定する処理と、
をコンピュータに実行させる、プログラム。
【発明の詳細な説明】
【技術分野】
【０００１】
本開示は、推薦装置、方法、およびプログラムに関する。
【背景技術】
【０００２】
近年、電子機器のソフトウェア拡張において、スマートフォンへのアプリケーションダウンロードに代表されるように、ユーザが膨大なアプリケーションの中から好みのものを選択することで拡張を行う方法が主流となっている。また、膨大なアプリケーションの中から好みのものを選択するのは困難であるので、スマートフォンへのアプリケーションダウンロードにおいては、キーワード検索や関連アプリケーションの提示といった技術により、ユーザの負担を軽減している。【０００３】
また、ユーザの負担を軽減するためのアプリケーション提供技術として、下記特許文献１に記載のコンテンツ提供装置も知られている。特許文献１に記載のコンテンツ提供装置は、現在ユーザが使用しているアプリケーションやコンテンツに基づいてユーザの心境を推定し、推定した心境に基づいて、推薦するコンテンツを決定している。
【先行技術文献】
【特許文献】
【０００４】
【特許文献１】特開２００９−１４０３４１号公報
【発明の概要】
【発明が解決しようとする課題】
【０００５】
ここで、アプリケーションのダウンロードによるソフトウェア拡張は、上述したスマートフォンに限らず、デジタルカメラやゲーム機等の電子機器でも行われている。特に、デジタルカメラ用のアプリケーションは、ユーザが現在撮影しているのか、または再生しているのかといったデジタルカメラの利用状態や、ユーザがどのような画像を撮影したいのか等によって、適切なアプリケーションが異なる。【０００６】
しかしながら、上述したキーワード検索や、現在ユーザが使用しているアプリケーションに基づいて推薦する方法では、上述したようにデジタルカメラの利用状態や所望する撮影画像等によって異なる適切なアプリケーションを推薦することは困難であった。【０００７】
そこで、本開示では、状況に合ったアプリケーションを推薦することが可能な、新規かつ改良された推薦装置、方法、およびプログラムを提案する。
【課題を解決するための手段】
【０００８】
本開示によれば、撮像装置の動作モードに応じて選択された画像に関する情報に基づいて、前記撮像装置に推薦するアプリケーションを決定する決定部を備える推薦装置を提案する。【０００９】
本開示によれば、撮像装置の動作モードに応じて画像を選択するステップと、前記選択するステップにより選択された画像に関する情報に基づいて、前記撮像装置に推薦するアプリケーションを決定するステップと、を含む推薦方法を提案する。【００１０】
本開示によれば、撮像装置の動作モードに応じて画像を選択する処理と、前記選択する処理により選択された画像に関する情報に基づいて、前記撮像装置に推薦するアプリケーションを決定する処理と、をコンピュータに実行させるプログラムを提案する。
【発明の効果】
【００１１】
以上説明したように本開示によれば、状況に合ったアプリケーションを推薦することが可能となる。
【図面の簡単な説明】
【００１２】
【図１】本開示の一実施形態による推薦システムの概要について説明するための図である。
【図２】本実施形態による撮像装置の構成を示すブロック図である。
【図３】本実施形態によるＣＰＵの機能構成を示すブロック図である。
【図４】本実施形態による記憶メディアに記憶される情報の一例を示す説明図である。
【図５】本実施形態によるメタデータの具体例を示す説明図である。
【図６】本実施形態によるサーバの機能構成を示すブロック図である。
【図７】本実施形態による推薦システムの動作処理を示すフローチャートである。
【図８】画面上に表示されるお勧めＡＰボタンを示す説明図である。
【図９】お勧めアプリケーションの選択画面の一例を示す図である。
【図１０】ＭＥＮＵ画面からＡＰダウンロードが指示された場合の画面遷移図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による推薦システムの概要
２．基本構成
２−１．撮像装置の構成
２−２．サーバの構成
３．動作処理
４．まとめ 
【００１５】
＜１．本開示の一実施形態による推薦システムの概要＞
まず、本開示の一実施形態による推薦システムの概要について図１を参照して説明する。図１に示すように、本開示の一実施形態による推薦システムは、撮像装置１およびサーバ４を含む。撮像装置１は、ルータ２に無線接続し、ネットワーク３を介してサーバ４とデータの送受信を行う。
【００１６】
このような推薦システムにおいて、本実施形態による撮像装置１は、動作モードに応じて所定の画像を選択し、選択した画像のメタデータ等をサーバ４に送信する。サーバ４は、撮像装置１から送信されたメタデータ等に基づき、推薦するアプリケーションを決定し、撮像装置１に送信する。
【００１７】
ここで、撮像装置１の動作モードには、静止画や動画の撮影を行う撮影モード、およびメモリに記憶されている記憶画像を表示部に表示する再生モードがある。撮影モードの場合、ユーザは何らかのシーンや被写体を撮影しようとしているので、撮影動作に関係するアプリケーションが推薦されることを望む。一方、再生モードの場合、ユーザは過去に撮影された画像（記憶画像）を再生しているので、記憶画像の整理や加工等に利用できるアプリケーションが推薦されることを望む。
【００１８】
このように、撮像装置１の状況によって適切なアプリケーションが異なるので、本実施形態による推薦システムでは、撮像装置１の動作モードに応じて選択された画像のメタデータ等に基づいて、推薦するアプリケーションを決定している。
【００１９】
これにより、本実施形態によるサーバ４（推薦装置）は、撮像装置１の現在の状況に適したアプリケーションを迅速に推薦することができる。また、ユーザは、撮像装置１において現在必要なアプリケーションをダウンロードすることができる。
【００２０】
以上、本開示の一実施形態による推薦システムの概要について説明した。続いて、本開示の一実施形態による推薦システムを構成する各装置の基本構成について詳細に説明する。
【００２１】
なお、図１では、撮像装置１の一例としてデジタルカメラを図示しているが、本実施形態による撮像装置はこれに限定されない。撮像装置は、例えば撮像機能を有するノートＰＣ、スマートフォン、ＰＤＡ（Ｐｅｒｓｏｎａｌ  Ｄｉｇｉｔａｌ  Ａｓｓｉｓｔａｎｔｓ）、携帯電話、携帯用音楽再生装置、携帯用映像処理装置または携帯用ゲーム機器であってもよい。
【００２２】
＜２．基本構成＞
（２−１．撮像装置の構成）
図２は、本実施形態による撮像装置１の構成を示すブロック図である。図２に示すように、本実施形態による撮像装置１は、ＣＰＵ１０、操作入力部１２、撮像部１４、画像信号処理部１６、表示制御部１８、表示部２０、記憶／再生信号処理部２２、記憶メディア２４、電源部２６、時間管理部２８、ＲＡＭ３０、ＲＯＭ３１、ＧＰＳ受信部３２、および通信部３４を有する。
【００２３】
ＣＰＵ１０は、撮像装置１の各構成を制御する制御部である。ＣＰＵ１０は、後述ＲＯＭ３１に記憶されている各種プログラムを読み出し、ＲＡＭ３０を作業領域として利用して各種制御を行う。
【００２４】
例えば、ＣＰＵ１０は、図２に示すように、操作入力部１２から出力された操作信号に応じて、撮像部１４、画像信号処理部１６、記憶／再生信号処理部２２等にコントロール信号を出力し、撮像制御、画像信号処理制御、記憶制御または表示制御等を実行する。
【００２５】
また、本実施形態によるＣＰＵ１０は、動作モードに応じて画像を選択し、選択した画像のメタデータ等をサーバ４（推薦装置）に送信し、さらにサーバ４から推薦されたアプリケーションをダウンロードする機能を有する。なお、本実施形態によるＣＰＵ１０の詳細な機能構成については、図３を参照して後述する。
【００２６】
ＲＡＭ（Ｒａｎｄｏｍ
Ａｃｃｅｓｓ Ｍｅｍｏｒｙ）３０およびＲＯＭ（Ｒｅａｄ
Ｏｎｌｙ Ｍｅｍｏｒｙ）３１は、ＣＰＵ１０が動作する際に利用される記憶媒体である。例えば、ＲＡＭ３０は、ＣＰＵ１０の作業領域として利用され、ＲＯＭ３１は、ＣＰＵ１０が撮像制御、信号処理制御、記憶制御および表示制御等を実行するためのプログラムを記憶する。
【００２７】
操作入力部１２は、ユーザによる操作入力を検出し、操作信号としてＣＰＵ１０に出力する。操作入力部１２は、物理的な構成のボタン（シャッターボタン、モードスイッチ、メニューボタンおよび操作レバー等）、または画面上に表示されるボタンへのユーザによる操作入力を検出する。画面上の操作入力は、例えば表示機能および操作入力機能を有するタッチパネルにより検出してもよい。ここで、本実施形態による撮像装置１の動作モードには、一例として撮影モードおよび再生モードがある。ユーザは、モードスイッチ（不図示）を操作して任意の動作モード（撮影／再生モード）に切り替えることができる。また、ユーザは、撮影モードの場合、写真、パノラマおよび動画のいずれかの撮影モードに切り替えることができる。
【００２８】
撮像部１４は、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換部であって、光学系により被写体像が形成される。被写体像が信号変換部に形成されると、被写体像は信号変換部により電気的な画像信号に変換される。また、撮像部１４は、ユーザの撮影モード切り替え操作に応じてＣＰＵ１０により制御され、写真、パノラマおよび動画のいずれかの画像信号を出力する。また、撮像部１４により変換された画像信号（撮像画像）は、画像信号処理部１６等を通して表示部２０や記憶メディア２４に送られる。
【００２９】
画像信号処理部１６は、撮像部１４から出力された画像信号を処理する。画像信号処理部１６は、必要に応じて、例えばノイズ除去、色調補正、輝度補正、エッジ検出等を行う。また、画像信号処理部１６は、撮像部１４から出力された画像信号を表示制御部１８に出力する。
【００３０】
ここで、撮影モードにおいては、撮像部１４から出力され、画像信号処理部１６で処理された画像信号が、表示部２０に逐次表示される。このように、撮像部１４から出力された画像信号が表示部２０に逐次（リアルタイムに）表示される一連の処理をスルー撮像と称し、また、スルー撮像により取得される画像（リアルタイムに表示される画像）をスルー画像と称す。
【００３１】
また、画像信号処理部１６は、例えばシャッターボタン操作のタイミングに応じて、画像信号を記憶／再生信号処理部２２に出力する。
【００３２】
記憶／再生信号処理部２２は、撮影モード時に、シャッターボタン操作のタイミングに応じて画像信号処理部１６から出力される画像信号（撮像画像）を記憶メディア２４にファイルとして記憶する。なお、記憶／再生信号処理部２２は、ＣＰＵ１０による制御に応じて、撮像画像に、撮影時刻や撮影時の設定情報等を含むメタデータを付加して記憶してもよい。また、記憶／再生信号処理部２２は、再生モード時に、記憶メディア２４に記憶された撮像画像（以下、記憶画像とも称す）を読み出し、復号して表示制御部１８に出力する。
【００３３】
記憶メディア２４は、撮像画像を記憶する画像記憶部であって、例えばメモリカードにより実現される。また、本実施形態による記憶メディア２４は、撮像画像およびメタデータを画像ファイルとして記憶してもよく、さらに、全画像ファイルに基づくインデックス情報を記憶してもよい。なお、本実施形態による記憶メディア２４の詳細については、図４を参照して後述する。
【００３４】
表示制御部１８は、ＣＰＵ１０から出力されるコントロール信号に従って、表示部２０の表示内容を制御する。より具体的には、例えば表示制御部１８は、撮影モード時において、画像信号処理部１６から出力される撮像画像を、リアルタイムにスルー画像として表示部２０に表示するよう制御する。また、表示制御部１８は、再生モード時において、記憶／再生信号処理部２２から出力される記憶画像を表示部２０に表示するよう制御する。
【００３５】
表示部２０は、例えば、液晶ディスプレイ（ＬＣＤ）装置およびＯＬＥＤ（Ｏｒｇａｎｉｃ
Ｌｉｇｈｔ Ｅｍｉｔｔｉｎｇ Ｄｉｏｄｅ）装置などの表示装置である。本実施形態による表示部２０は、表示制御部１８による制御に応じて、メニュー画面、スルー画像、記憶画像等を表示する。
【００３６】
電源部２６は、バッテリおよび電源回路を含み、ＣＰＵ１０から出力される電源コントロール信号に応じて電源ＯＮ／ＯＦＦを切り替える。また、電源部２６は、撮像装置１の各構成に電力供給を行う。
【００３７】
時間管理部２８は、時計回路を含み、年月日および時分秒を管理する。例えば、撮影時に時間管理部２８により取得される時間情報は、撮影時刻として撮像画像に付加される。
【００３８】
ＧＰＳ（Ｇｌｏｂａｌ  Ｐｏｓｉｔｉｏｎｉｎｇ  Ｓｙｓｔｅｍ）受信部３２は、撮像装置１の現在位置情報を取得する。ＧＰＳ受信部３２は、３個以上の人工衛星から送信される航法メッセージを受信し、受信した航法メッセージに基づいて現在位置を測位することができる。また、ＧＰＳ受信部３２により取得される位置情報は、撮影場所の情報として撮像画像に付加されてもよい。
【００３９】
通信部３４は、他の通信装置に接続するための通信インターフェースである。通信部３４は、他の通信装置と有線／無線接続を行うことが可能である。本実施形態による通信部３４は、例えばルータ２と無線ＬＡＮ通信を行い、ネットワーク３を介してサーバ４とデータの送受信を行う。
【００４０】
以上、本実施形態による撮像装置１の各構成について説明した。続いて、上述したＣＰＵ１０（制御部）の機能構成、および記憶メディア２４の記憶内容について順次詳細に説明する。
【００４１】
（ＣＰＵ１０の機能構成）
図３は、本実施形態によるＣＰＵ１０（制御部）の機能構成を示すブロック図である。図３に示すように、本実施形態によるＣＰＵ１０は、動作モード切替部１１０、画像選択部１２０、通信制御部１３０、およびＡＰ（アプリケーション）起動部１４０の機能を有する。
【００４２】
動作モード切替部１１０は、ユーザによるモードスイッチの操作に応じて撮像装置１の動作モードを撮影モードまたは再生モードに切り替える。撮影モードに切り替えられた場合、ＣＰＵ１０は、撮像部１４、画像信号処理部１６、および表示制御部１８を制御し、スルー撮像を行う。また、再生モードに切り替えられた場合、ＣＰＵ１０は、記憶／再生信号処理部２２、記憶メディア２４、および表示制御部１８を制御し、記憶メディア２４から読み出された記憶画像またはインデックス情報を表示部２０に表示するよう制御する。
【００４３】
画像選択部１２０は、撮像装置１の動作モードに応じて、サーバ４において推薦するアプリケーションを決定するために利用する画像を選択する。より具体的には、画像選択部１２０は、撮像装置１が撮影モードの場合、スルー画像、または最近撮影された撮像画像を選択する。最近撮影された撮像画像とは、例えば撮像画像に付加された撮影時刻が現在時刻に最も近い撮像画像から順に所定の枚数の撮像画像であってもよいし、現在時刻から所定時間遡った時間内に撮影された撮像画像であってもよい。
【００４４】
このように画像選択部１２０は、撮影モード時に、推薦するアプリケーションを決定するために利用される画像として、スルー画像または最近撮影された撮像画像を選択する。これにより、サーバ４（推薦装置）は、ユーザが現在撮影しようとしている状況により適したアプリケーションを推薦することができる。
【００４５】
一方、撮像装置１が再生モードの場合、画像選択部１２０は、記憶メディア２４に記憶されている全て、または表示部２０に現在表示されている一部の記憶画像を選択する。表示部２０に現在表示されている一部の記憶画像とは、例えば表示部２０で再生中の１枚の記憶画像であってもよいし、表示部２０でインデックス再生中の記憶画像群（再生モードにおいて画面に表示されている複数の記憶画像）であってもよい。また、画像選択部１２０は、記憶メディア２４に記憶されている一部の記憶画像として、記憶画像の撮影日時等に基づいて、日にち毎、週毎、月毎、または位置や時間でクラスタリングされた画像毎に選択してもよい。
【００４６】
このように画像選択部１２０は、再生モード時に、推薦するアプリケーションを決定するために利用される画像として、記憶メディア２４に記憶されている全てまたは一部の記憶画像を選択する。これにより、サーバ４（推薦装置）は、ユーザが頻繁に撮影する画像の特性に合ったアプリケーションを推薦することができる。また、再生中の記憶画像が選択されることで、サーバ４は、現在再生している画像を表示・加工したり、同様の画像を撮影したりする場合に適したアプリケーションを推薦することができる。
【００４７】
通信制御部１３０は、画像選択部１２０により選択された画像に関する情報を通信部３４からサーバ４に送信し、サーバ４によるアプリケーションの推薦を要求するよう制御する。ここで、画像に関する情報とは、具体的には、例えば撮像画像に付加されたメタデータ（顔情報、加工情報、撮像位置情報等）や、スルー画像のシーン認識結果等であって、本明細書においては「画像のメタデータ等」とも称する。なお、メタデータの詳細な内容については、図５を参照して後述する。
【００４８】
なお、通信制御部１３０は、撮影モード時において、画像選択部１２０により選択された画像の他、ユーザにより設定された撮像装置１の設定状態に関する情報をサーバ４に送信してもよい。撮像装置１の設定状態に関する情報とは、ユーザにより設定されたシーンセレクション設定やピクチャーエフェクト設定の情報である。これにより、サーバ４は、ユーザが現在撮影しようとしている状況により適したアプリケーションを推薦することができる。
【００４９】
また、通信制御部１３０は、撮像装置１からの要求に応じてサーバ４から推薦されたアプリケーションを受信（ダウンロード）する。
【００５０】
ＡＰ起動部１４０は、サーバ４から受信（ダウンロード）したアプリケーションを起動するよう制御する。
【００５１】
（記憶メディア２４）
次に、本実施形態による記憶メディア２４の記憶内容について図４および図５を参照して詳細に説明する。
【００５２】
図４は、本実施形態による記憶メディア２４に記憶される情報の一例を示す説明図である。図４に示すように、記憶メディア２４には、インデックス情報２４１、および画像ファイル２４２−１〜２４２−Ｎ（画像ファイル２４２）が記憶されている。インデックス情報は、記憶メディア２４に記憶されている全ての画像ファイル２４２−１〜２４２−Ｎに基づいて生成される。
【００５３】
また、図４に示すように、画像ファイル２４２−１〜２４２−Ｎは、各々メタデータ２４４−１〜２４４−Ｎ（メタデータ２４４）、および画像データ（撮像画像）２４６−１〜２４６−Ｎ（画像データ２４６）を含む。メタデータ２４４は、画像データ２４６に関する情報であって、撮影時刻や、撮影位置情報、撮影時の設定状態等が含まれる。以下、図５を参照して具体的に説明する。
【００５４】
図５は、本実施形態によるメタデータ２４４の具体例を示す説明図である。図５に示すように、例えば画像データ２４６が静止画の場合における静止画メタデータ２４４Ａは、顔情報、撮影モード、連写、写真加工、および位置情報を含む。
【００５５】
「顔情報」とは、画像データ２４６の顔認識の結果であって、画像中の顔毎の位置（ｘ，ｙ）や大きさ（ｗ，ｈ）を示す情報である。「撮影モード」は、撮影パラメータの設定方法であって、撮影時に、フルオート、プログラムオート、絞り優先、シャッタースピード優先、またはマニュアルのいずれで撮影パラメータが設定されていたかを示す情報である。「連写」は、撮影時の連写有無情報であって、連写有りの場合、各連写を識別するための連写グループＩＤを含む。「写真加工」は、画像データ２４６の加工有無を示す情報であって、加工有りの場合、加工に使用したアプリケーションの情報を含んでもよい。「位置情報」は、撮影地点の緯度経度を示す情報である。
【００５６】
また、図５に示すように、例えば画像データ２４６が動画の場合における動画メタデータ２４４Ｂは、顔情報、撮影モード、および位置情報を含む。
【００５７】
「顔情報」、「撮影モード」、および「位置情報」の定義は、上述した静止画メタデータ２４４Ａと同様であるが、「顔情報」には、動画中のどの時点における顔であるかを示すｔｉｍｅｓｔａｍｐが含まれる。また、「位置情報」には、動画中のどの時点における緯度経度であるかを示すｔｉｍｅｓｔａｍｐと、代表位置の緯度経度が含まれる。
【００５８】
（２−２．サーバの構成）
次に、本実施形態によるサーバ４（推薦装置）の構成について図６を参照して説明する。図６は、本実施形態によるサーバ４の機能構成を示すブロック図である。図６に示すように、サーバ４は、通信部４１、決定部４３、およびＡＰ（アプリケーション）データベース４５を有する。
【００５９】
（通信部４１）
通信部４１は、外部装置とデータ通信を行う機能を有し、本実施形態では、ネットワーク３を介して撮像装置１とデータの送受信を行う。より具体的には、通信部４１は、撮像装置１から選択された画像のメタデータ等を受信し、また、受信したメタデータ等に基づいて決定した推薦するアプリケーションを撮像装置１に送信する。
【００６０】
（決定部４３）
決定部４３は、通信部４１から受信した撮像装置１により選択された画像のメタデータ等に基づいて、推薦するアプリケーションを決定する。また、決定部４３は、複数の画像のメタデータを利用する場合、当該メタデータの統計に基づいて、推薦するアプリケーションを決定してもよい。以下、撮像装置１の動作モード（撮影／再生モード）に応じた決定部４３による推薦するアプリケーションの決定について詳細に説明する。
【００６１】
・撮影モード時
決定部４３は、撮像装置１が撮影モードの場合、スルー画像または最近撮影された撮像画像に関する情報に基づいて、推薦するアプリケーションを決定する。これにより、決定部４３は、ユーザが現在撮影しようとしている状況により適したアプリケーションを推薦することができる。
【００６２】
より具体的には、決定部４３は、例えば以下のように推薦するアプリケーションを決定してもよい。
（ａ）スルー画像のシーン認識結果が「人物モード」の場合・・・美肌撮影アプリケーション
（ｂ）最近撮影された撮像画像に人物が多い場合・・・美肌撮影アプリケーション
【００６３】
ここで、上記（ａ）の「最近撮影された撮像画像に人物が多い場合」とは、例えば対象画像群の各メタデータに基づき、対象画像群中において「顔情報数÷画像数」が閾値を超えている場合、決定部４３は人物が多いと判断してもよい。
【００６４】
また、本実施形態による決定部４３は、以下のように、ユーザにより設定された撮像装置１の設定状態に関する情報に基づいて、推薦するアプリケーションを決定してもよい。
（ｃ）シーンセレクション設定・・・シーン追加アプリケーション
（ｄ）ピクチャーエフェクト・・・エフェクト追加アプリケーション
【００６５】
・再生モード時
決定部４３は、撮像装置１が再生モードの場合、記憶メディア２４に記憶されている全てまたは一部の記憶画像に関する情報に基づいて、推薦するアプリケーションを決定する。これにより、決定部４３は、ユーザが頻繁に撮影する画像の特性に合ったアプリケーションを推薦することができる。
【００６６】
また、決定部４３は、再生モードの場合に選択された記憶画像群の特徴を、記憶画像のメタデータに基づいて以下のように抽出してもよい（統計の算出）。
【００６７】
（Ｉ）人物撮影画像が多い；対象画像群中の「顔情報数÷画像数」が閾値を超えている場合
（Ｊ）オートモード撮影が多い；対象画像群中の「フルオート撮影画像数÷画像数」が閾値を超えている場合
（Ｋ）連写撮影画像が多い；対象画像群中の「連写静止画数÷静止画数」が閾値を超えている場合
（Ｌ）写真加工アプリで加工した写真が多い；対象画像群の中の「写真加工静止画数÷静止画数」が閾値を超えている場合
（Ｍ）色々な場所で撮影している；対象画像群の静止画位置情報と動画代表位置情報の分散が閾値を超えている場合
【００６８】
そして、決定部４３は、抽出した記憶画像群の特徴に基づいて、以下のように推薦するアプリケーションを決定してもよい。
（ｉ）人物撮影画像が多い・・・美肌加工アプリケーション
（ｊ）オートモード撮影が多い・・・撮影ガイドアプリケーション
（ｋ）連写撮影画像が多い・・・連写画像整理アプリケーション
（ｌ）写真加工アプリで加工した写真が多い・・・他の写真加工アプリケーション
（ｍ）色々な場所で撮影している・・・位置情報に基づいて地図上に写真を表示するアプリケーション
【００６９】
（ＡＰデータベース４５）
ＡＰデータベース４５は、撮像装置１にダウンロード可能な各種アプリケーションを格納する記憶部である。例えば、ＡＰデータベース２５は、美肌撮影アプリケーション、シーン追加アプリケーション、美肌加工アプリケーション、撮影ガイドアプリケーション等を格納する。
【００７０】
なお、図６に示す構成では、サーバ４の決定部４３はＡＰデータベース４５から推薦するアプリケーションを決定しているが、本実施形態による決定部４３の決定処理はこれに限定されない。例えば、決定部４３は、ネットワーク３上の不特定多数のＡＰ格納サーバから、推薦するアプリケーションを決定してもよい。
【００７１】
＜３．動作処理＞
次に、本実施形態による推薦システムの動作処理について図７を参照して説明する。図７は、本実施形態による推薦システムの動作処理を示すフローチャートである。
【００７２】
図７に示すように、まず、ステップＳ１００において、撮像装置１の操作入力部１２が、お勧めＡＰ（アプリケーション）ボタンの操作を検出した場合、本実施形態による推薦システムの処理が開始される。お勧めＡＰボタンは、物理的な構成のボタンであってもよいし、画面上に表示されるボタンであってもよい。
【００７３】
ここで、図８に、画面上に表示されるお勧めＡＰボタンの一例を示す。図８に示すように、撮影モードでは、表示部２０にスルー画像５０が表示され、さらにＭＥＮＵボタン５１およびお勧めＡＰボタン５２が表示される。また、再生モードのうち、記憶画像をインデックスで表示するインデックス再生モードでは、表示部２０にインデックス画面５４が表示され、さらにＭＥＮＵボタン５１およびお勧めＡＰボタン５２が表示される。また、再生モードのうち、記憶画像を全画面に表示する全画面再生モードでは、表示部２０に記憶画像５６が表示され、さらにＭＥＮＵボタン５１およびお勧めＡＰボタン５２が表示される。
【００７４】
このように、各動作モード時においてお勧めＡＰボタン５２が表示されるので、ユーザは、現在の撮像装置１の状況に適したアプリケーションをダウンロードしたい場合に、お勧めＡＰボタン５２をタッチ操作する。
【００７５】
次に、ステップＳ１０３において、画像選択部１２０は、撮像装置１の動作モードを判定する。
【００７６】
次いで、ステップＳ１０６において、画像選択部１２０は、撮像装置１の動作モードが撮影モードの場合、スルー画像または最近撮影された撮像画像を選択する。
【００７７】
一方、ステップＳ１０９において、画像選択部１２０は、撮像装置１の動作モードが再生モードの場合、再生中の記憶画像または全ての記憶画像を選択する。
【００７８】
次に、ステップＳ１１２において、通信制御部１３０は、画像選択部１２０に選択された画像のメタデータ等をサーバ４に送信する。
【００７９】
次いで、ステップＳ１１５において、サーバ４の決定部４３は、受信した画像のメタデータ等に基づいて、推薦するアプリケーションを決定する。
【００８０】
次に、ステップＳ１１８において、通信部４１は、決定したアプリケーションを撮像装置１に送信する。
【００８１】
そして、ステップＳ１２１において、撮像装置１の通信部３４はアプリケーションをダウンロードし、ＡＰ起動部１４０はダウンロードしたアプリケーションを起動する。
【００８２】
これにより、ユーザが撮像装置１の表示部２０に表示されるお勧めＡＰボタン５２（図８参照）をタッチすると、撮像装置１の今の状況に適したアプリケーションが自動的にダウンロードされ、起動される。このように、本実施形態による推薦システムでは、撮影時や再生時において、適切なアプリケーションをより迅速に提供することができる。
【００８３】
（補足１）
図７に示す推薦システムの動作処理では、ステップＳ１１５〜Ｓ１２１において、決定部４３により決定された推薦するアプリケーションを自動的にダウンロードし、起動しているが、本開示による推薦システムの動作処理はこれに限定されない。例えば、上記ステップＳ１１５において、決定部４３は、推薦するアプリケーションを複数決定してもよい。
【００８４】
この場合、通信部４１は、決定された複数のアプリケーションに関する情報を撮像装置１に送信してもよい。そして、撮像装置１の表示制御部１８は、受信した複数のアプリケーションに関する情報に基づいて選択画面を生成し、表示部２０に表示するよう制御する。
【００８５】
例えば図９に示すように、全画面再生モード時に記憶画像５６と共に表示されたお勧めＡＰ５２がタッチされると、「あなたへのお勧めアプリケーション」といった案内表示と共に、複数のＡＰ選択用ボタン５９の表示を含む選択画面５８が表示される。また、表示制御部１８は、各アプリケーションに関する情報として、アプリケーションの名称、機能、有料／無料の情報等を併せて表示してもよい。
【００８６】
これにより、ユーザは、推薦されたアプリケーションから任意のアプリケーションを選択することができる。また、撮像装置１は、選択されたアプリケーションをダウンロードし、起動する。
【００８７】
（補足２）
図７〜図９において説明した上述した本実施形態による推薦システムでは、スルー画像や記憶画像と共に表示された「お勧めＡＰボタン５２」が操作された場合に動作処理を開始しているが、本開示による推薦システムはこれに限定されない。
【００８８】
例えば、図１０に示すように、記憶画像５７と共に表示されたＭＥＮＵボタン５１が操作された場合、表示制御部１８はＭＥＮＵ画面６０を表示部２０に表示する。そして、ＭＥＮＵ画面６０に含まれるＡＰダウンロードボタン６２が選択された場合、推薦システムによる動作処理を開始してもよい。
【００８９】
この場合、撮像装置１は、上述したようにサーバ４の決定部４３により決定された推薦するアプリケーションを自動的にダウンロードしてもよいし、図１０に示すように選択画面５８を表示し、ダウンロードするアプリケーションをユーザに選択させてもよい。
【００９０】
＜４．まとめ＞
上述したように、本実施形態による推薦システムでは、撮影時や再生時において、状況に合った適切なアプリケーションを提供することが可能である。
【００９１】
より具体的には、撮像装置１が撮影モードの場合、決定部４３は、スルー画像または最近撮影された撮像画像に関する情報に基づいて、推薦するアプリケーションを決定する。これにより、決定部４３は、ユーザが現在撮影しようとしている状況により適したアプリケーションを推薦することができる。
【００９２】
また、撮像装置１が再生モードの場合、決定部４３は、記憶メディア２４に記憶されている全てまたは一部の記憶画像に関する情報に基づいて、推薦するアプリケーションを決定する。これにより、決定部４３は、ユーザが頻繁に撮影する画像の特性に合ったアプリケーションを推薦することができる。
【００９３】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属
するものと了解される。
【００９４】
例えば、図１に示す推薦システムは、撮像装置１およびサーバ４を有し、サーバ４が、撮像装置から送信された画像のメタデータ等に基づいて、推薦するアプリケーションを決定しているが、本開示による推薦システムの構成は図１に示す例に限定されない。
【００９５】
例えば、撮像装置内で、選択した画像のメタデータ等に基づいて推薦するアプリケーションを決定してもよい。この場合、撮像装置（推薦装置）は、決定した推薦するアプリケーション（例えば、美肌撮影アプリケーション等）を、ネットワーク３上から検索して取得してもよい。
【００９６】
また、撮像装置（推薦装置）は、決定した推薦するアプリケーションを自動的にダウンロード（ＤＬ）した上で起動してもよいし、決定した推薦するアプリケーションに関する情報を表示し、ＤＬおよび起動するアプリケーションをユーザに選択させてもよい。
【００９７】
なお、本技術は以下のような構成も取ることができる。
（１）
撮像装置の動作モードに応じて選択された画像に関する情報に基づいて、前記撮像装置に推薦するアプリケーションを決定する決定部を備える推薦装置。
（２）
前記画像に関する情報は、画像に付加されたメタデータ、またはスルー画像のシーン認識結果である、前記（１）に記載の推薦装置。
（３）
前記画像は、撮像モード時のスルー画像または所定の撮像画像である、前記（１）に記載の推薦装置。
（４）
前記所定の撮像画像は、撮像モード時において、現在時刻から過去一定時間内に撮像された撮像画像、または撮像時刻が現在時刻に近い一定量の撮像画像である、前記（３）に記載の推薦装置。
（５）
前記決定部は、撮像モード時において、ユーザにより設定された前記撮像装置の設定状態に関する情報に基づいて、前記撮像装置に推薦するアプリケーションを決定する、前記（１）から前記（４）のいずれか１項に記載の推薦装置。
（６）
前記画像は、再生モード時において、前記撮像装置に記憶されている所定の記憶画像である、前記（１）から前記（５）のいずれか１項に記載の推薦装置。
（７）
前記所定の記憶画像は、再生モードにおいて画面に表示されている複数の記憶画像である、前記（６）に記載の推薦装置。
（８）
前記所定の記憶画像は、再生中の記憶画像、または前記撮像装置に記憶されている全ての記憶画像である、前記（６）に記載の推薦装置。
（９）
前記決定部は、前記撮像装置に記憶されている全ての記憶画像に関する情報の統計に基づいて、前記撮像装置に推薦するアプリケーションを決定する、前記（８）に記載の推薦装置。
（１０）
前記推薦装置は、
前記撮像装置から前記撮像装置のモードに応じて選択された画像または前記選択された画像に関する情報を受信する受信部と、
前記決定部により決定したアプリケーションを前記撮像装置に送信する送信部と、
をさらに備える、前記（１）から前記（９）のいずれか１項に記載の推薦装置。
（１１）
前記推薦装置は、
撮像部と、
表示部と、
前記決定部により決定したアプリケーションに関する情報を前記表示部に表示するよう制御する表示制御部と、
をさらに備える撮像装置である、前記（１）から前記（９）のいずれか１項に記載の推薦装置。
（１２）
前記推薦装置は、
前記表示部に表示された複数のアプリケーションに関する情報に対するユーザの選択操作を検出する操作検出部と、
前記ユーザにより選択されたアプリケーションを起動するよう制御する制御部と、
を備える、前記（１１）に記載の推薦装置。
（１３）
前記推薦装置は、
撮像部と、
前記決定部により決定したアプリケーションを起動するよう制御する制御部と、
をさらに備える撮像装置である、前記（１）から前記（９）のいずれか１項に記載の推薦装置。
（１４）
撮像装置の動作モードに応じて画像を選択するステップと、
前記選択するステップにより選択された画像に関する情報に基づいて、前記撮像装置に推薦するアプリケーションを決定するステップと、
を含む、推薦方法。
（１５）
撮像装置の動作モードに応じて画像を選択する処理と、
前記選択する処理により選択された画像に関する情報に基づいて、前記撮像装置に推薦するアプリケーションを決定する処理と、
をコンピュータに実行させる、プログラム。
【符号の説明】
【００９８】
１    撮像装置
２    ルータ
３    ネットワーク
４    サーバ
１０    ＣＰＵ
１２    操作入力部
１４    撮像部
１６    画像信号処理部
１８    表示制御部
２０    表示部
２２    記憶／再生信号処理部
２４    記憶メディア
２４１    インデックス情報
２４２（２４２−１〜２４２−Ｎ）    画像ファイル
２４４（２４４−１〜２４４−Ｎ）    メタデータ
２４４Ａ    静止画メタデータ
２４４Ｂ    動画メタデータ
２４６（２４６−１〜２４６−Ｎ）    画像データ
２６    電源部
２８    時間管理部
３０    ＲＡＭ
３１    ＲＯＭ
３２    ＧＰＳ受信部
３４    通信部
１１０    動作モード切替部
１２０    画像選択部
１３０    通信制御部
１４０    ＡＰ起動部
【図１】
2013187108.tif 000003
【図２】
2013187108.tif 000004
【図３】
2013187108.tif 000005
【図４】
2013187108.tif 000006
【図５】
2013187108.tif 000007
【図６】
2013187108.tif 000008
【図７】
2013187108.tif 000009
【図８】
2013187108.tif 000010
【図９】
2013187108.tif 000011
【図１０】
2013187108.tif 000012
【国際調査報告】
2013187108.tif 000013
2013187108.tif 000014
2013187108.tif 000015
2013187108.tif 000016